(57)【要約】【課題】別途他の部材を設けることなく、初期転移を高速に実行可能な液晶装置の駆動方法及び液晶装置並びに電子機器を提供すること。【解決手段】ＯＣＢモードの液晶の配向状態を初期的にスプレイ配向からベンド配向へ転移させる初期転移工程が、複数の画素に印加する電圧の相対的な極性を反転させる一の反転駆動モードで前記複数の画素を駆動する反転駆動工程と、該反転駆動工程と異なる反転駆動モードに切り替えて前記複数の画素を駆動する他の反転駆動工程とを備える。【選択図】図５
2007298803.tif 000002
【特許請求の範囲】
【請求項１】
複数の画素が走査線の延在方向である行方向とデータ線の延在方向である列方向とで平
面状に配列された画像表示領域を有し、液晶の配向状態を初期的にスプレイ配向からベン
ド配向へ転移させる初期転移工程を備えるＯＣＢモードの液晶装置の駆動方法であって、
前記初期転移工程が、前記複数の画素に印加する電圧の相対的な極性を反転させる一の
反転駆動モードで前記複数の画素を駆動する反転駆動工程と、該反転駆動工程と異なる反
転駆動モードに切り替えて前記複数の画素を駆動する他の反転駆動工程とを備えることを
特徴とする液晶装置の駆動方法。
【請求項２】
前記反転駆動モードとして、前記複数の画素のうち任意の行を構成するすべての画素に
相対的に同極性の電圧を印加すると共に隣接する他の行を構成するすべての画素に相対的
に逆極性の電圧を印加するゲートライン反転駆動モードと、前記複数の画素のうち任意の
列を構成するすべての画素に相対的に同極性の電圧を印加すると共に隣接する他の列を構
成する画素に相対的に逆極性の電圧を印加するソースライン反転駆動モードと、前記複数
の画素のすべてに相対的に同極性の電圧を印加するフレーム反転駆動モードと、前記複数
の画素のうち任意の画素に隣接する他の画素に相対的に逆極性の電圧を印加するドット反
転駆動モードとのうちの少なくとも２つを含むことを特徴とする請求項１に記載の液晶装
置の駆動方法。
【請求項３】
前記複数の反転駆動モードとして、前記ゲートライン反転駆動モードと前記フレーム反
転駆動モードとを有し、
前記初期転移工程で、前記ゲートライン反転駆動モードから前記フレーム反転駆動モー
ドに切り替えることを特徴とする請求項２に記載の液晶装置の駆動方法。
【請求項４】
複数の画素が走査線の延在方向である行方向とデータ線の延在方向である列方向とで平
面状に配列された画像表示領域を有し、液晶の配向状態を初期的にスプレイ配向からベン
ド配向へ転移させて表示を行うＯＣＢモードの液晶装置であって、
前記複数の画素に印加する電圧の相対的な極性を周期的に反転させる反転駆動モードを
複数有する反転駆動部と、前記液晶のスプレイ配向からベンド配向への転移時に該複数の
反転駆動モードを少なくとも一度切り替える切替部とを備えることを特徴とする液晶装置
。
【請求項５】
請求項４に記載の液晶装置を備えることを特徴とする電子機器。
【発明の詳細な説明】
【技術分野】
【０００１】
本発明は、例えばＯＣＢ（Optical Compensated Bend）モードの液晶装置の駆動方法及
び液晶装置並びに電子機器に関する。
【背景技術】
【０００２】
近年、例えば液晶テレビジョンなどに代表される液晶装置の分野においては、動画の画
質向上を目的として応答速度の速いＯＣＢモードの液晶装置が脚光を浴びている。このＯ
ＣＢモードでは、初期状態において液晶分子が一対の基板間でスプレイ状に開いたスプレ
イ配向となっており、表示動作時に液晶分子が弓なりに曲がった状態（ベンド配向）にな
っている必要がある。すなわち、表示動作時にベンド配向の曲がりの度合いで透過率を変
調することで高速応答性を実現している。したがって、ＯＣＢモードの液晶装置の場合、
電源遮断時には液晶がスプレイ配向であるため、電源投入時にある閾値以上の電圧を液晶
に印加することによって初期のスプレイ配向から表示動作時のベンド配向に液晶の配向状
態を転移させる、いわゆる初期転移操作が必要となる。ここで、初期転移が十分に行われ
ないと、表示不良が生じたり、所望の高速応答性が得られなかったりする。
【０００３】
このような初期転移方法として、隣接する画素と画素（または配線）とに逆極性の電圧
を印加することで、これらの間に横電界を発生させ、液晶に配向の乱れであるディスクリ
ネーションを生じさせる方法がある。このように、液晶中に転移核を発生しやすくするこ
とでベンド配向への転移を行っている。しかし、印加する電圧が数Ｖ程度である場合には
、この初期転移操作を行うために１０数秒から数十秒程度の時間がかかってしまう。
【０００４】
ここで、２０Ｖ程度の高電圧を印加することによって初期転移操作の時間を短縮化する
ことが可能となるが、液晶装置への負荷が大きくなるため、液晶装置の信頼性が低下する
問題がある。そこで、数Ｖ程度の電圧を印加した状態で液晶を振動させることにより、初
期転移時間を短縮化する方法が提案されている（例えば、特許文献１参照）。この方法で
は、液晶装置に振動子を設け、この振動子を駆動することで転移核を起点として液晶の配
向状態をスプレイ配向からベンド配向に転移させている。
【特許文献１】特開２００１−３３８２７号公報
【発明の開示】
【発明が解決しようとする課題】
【０００５】
しかしながら、上記従来の初期転移方法においても、以下の課題が残されている。すな
わち、上記従来の初期転移方法では、液晶装置に振動子を設ける必要があるため、液晶装
置のコストアップにつながるという問題がある。
【０００６】
本発明は、上記従来の問題に鑑みてなされたもので、別途他の部材を設けることなく、
初期転移を高速に実行可能な液晶装置の駆動方法及び液晶装置並びに電子機器を提供する
ことを目的とする。
【課題を解決するための手段】
【０００７】
本発明は、前記課題を解決するために以下の構成を採用した。すなわち、本発明にかか
る液晶装置の駆動方法は、複数の画素が走査線の延在方向である行方向とデータ線の延在
方向である列方向とで平面状に配列された画像表示領域を有し、液晶の配向状態を初期的
にスプレイ配向からベンド配向へ転移させる初期転移工程を備えるＯＣＢモードの液晶装
置の駆動方法であって、前記初期転移工程が、前記複数の画素に印加する電圧の相対的な
極性を反転させる一の反転駆動モードで前記複数の画素を駆動する反転駆動工程と、該反
転駆動工程と異なる反転駆動モードに切り替えて前記複数の画素を駆動する他の反転駆動
工程とを備えることを特徴とする。
【０００８】
また、本発明の液晶装置は、複数の画素が走査線の延在方向である行方向とデータ線の
延在方向である列方向とで平面状に配列された画像表示領域を有し、液晶の配向状態を初
期的にスプレイ配向からベンド配向へ転移させて表示を行うＯＣＢモードの液晶装置であ
って、前記複数の画素に印加する電圧の相対的な極性を周期的に反転させる反転駆動モー
ドを複数有する反転駆動部と、前記液晶のスプレイ配向からベンド配向への転移時に該複
数の反転駆動モードを少なくとも一度切り替える切替部とを備えることを特徴とする。
【０００９】
これらの発明では、１つの反転駆動モードに基づいて複数の画素に電圧を印加している
ときに他の反転駆動モードに切り替えて液晶の配向を揺さぶることで、初期転移を高速に
実現できる。
【００１０】
すなわち、一の反転駆動モードでスプレイ配向からベンド配向に配向状態が転移された
転移核を発生させた後、他の反転駆動モードに切り替えて液晶の配向を揺さぶることで、
転移核を成長させて他の液晶の配向状態を高速に転移させることができる。ここで、転移
核を容易に形成できる反転駆動モードと、転移核を起点として他の画素に転移状態を伝播
させやすい反転駆動モードとを、液晶の転移時に切り替えることで、一方と他方の反転駆
動モードの長所を組み合わせることができる。このため、１つの反転駆動モードに基づい
て画素に電圧を印加して液晶の配向状態を転移させることと比較して、別途他の部材を設
けることなく、初期転移に要する時間を短縮化できる。
【００１１】
また、各画素に印加する電圧を大きくすることなく初期転移時間を短縮できるので、液
晶装置への負荷が大きくなることを抑制し、液晶装置の信頼性を維持することができる。
【００１２】
また、本発明の液晶装置の駆動方法は、前記反転駆動モードとして、前記複数の画素の
うち任意の行を構成するすべての画素に相対的に同極性の電圧を印加すると共に隣接する
他の行を構成するすべての画素に相対的に逆極性の電圧を印加するゲートライン反転駆動
モードと、前記複数の画素のうち任意の列を構成するすべての画素に相対的に同極性の電
圧を印加すると共に隣接する他の列を構成する画素に相対的に逆極性の電圧を印加するソ
ースライン反転駆動モードと、前記複数の画素のすべてに相対的に同極性の電圧を印加す
るフレーム反転駆動モードと、前記複数の画素のうち任意の画素に隣接する他の画素に相
対的に逆極性の電圧を印加するドット反転駆動モードとのうちの少なくとも２つを含むこ
ととしてもよい。
【００１３】
この発明では、これらの反転駆動モードを有することで、転移時に反転駆動モードの間
で切り替えることで、上述のように初期転移時間を短縮することができる。
【００１４】
ここで、ゲートライン反転駆動では、隣接する２つの行に逆極性の電圧を印加すること
で、列方向で隣接する２つの画素の間における電位差が大きくなる。このため、列方向で
隣接する画素の間で強い横電界が発生して液晶にディスクリネーションが生じやすい。こ
れにより、液晶中に転移核が発生しやすくなる。しかし、列方向で隣接する画素の間の電
位差が大きいため、列方向において転移状態が伝播されにくくなる。
【００１５】
また、ソースライン反転駆動では、ゲートライン反転駆動と同様に、行方向で隣接する
２つの画素の間で強い横電界が発生するので、液晶中に転移核が発生しやすくなる。しか
し、行方向で隣接する画素の間の電位差が大きいため、行方向において転移状態が伝播さ
れにくくなる。
【００１６】
そして、フレーム反転駆動では、すべての画素に同極性の電圧を印加しているので、隣
接する画素の間の横電界が弱い。このため、発生した転移核が他の画素に伝播されやすい
。しかし、横電界が弱いため、転移核が発生しにくくなる。
【００１７】
さらに、ドット反転駆動では、ゲートライン反転駆動やソースライン反転駆動と同様に
、隣接する２つの画素の間で強い横電界が発生するので、液晶中に転移核が発生しやすく
なる。しかし、列方向及び行方向で隣接する画素の間の電位差が大きいため、転移状態が
伝播されにくくなる。
【００１８】
また、本発明の液晶装置の駆動方法は、前記複数の反転駆動モードとして、前記ゲート
ライン反転駆動モードと前記フレーム反転駆動モードとを有し、前記初期転移工程で、前
記ゲートライン反転駆動モードから前記フレーム反転駆動モードに切り替えることが好ま
しい。
【００１９】
この発明では、最初にゲートライン反転駆動モードに基づいて複数の画素に電圧を印加
することで、転移核が複数の画素に分散して容易に形成され、その後にフレーム反転駆動
モードに基づいて複数の画素に電圧を印加することで、形成された転移核を起点として転
移核の転移状態が他の画素に短時間に伝播する。したがって、液晶の初期転移に要する時
間を短縮できる。
【００２０】
また、フレーム反転駆動に基づいて電圧を印加した後でゲートライン反転駆動に基づい
て電圧を印加した場合でも、上述と同様に、初期転移に要する時間を短縮できる。すなわ
ち、フレーム反転駆動に基づいて複数の画素に電圧を印加することで、列方向において転
移核が複数の画素に分散して形成される。また、隣接する２つの画素の間の強い横電界を
利用する場合と比べると、フレーム反転駆動では転移核は発生しにくいが、複数の画素に
おいてそれに準じた状態になっている。その後にゲートライン反転駆動に基づいて複数の
画素に電圧を印加すると、行方向において隣接する２つの画素の間の電位差が小さいため
、行方向における転移状態の伝播を短時間に行える。したがって、液晶の初期転移に要す
る時間を短縮できる。
【００２１】
ここで、ゲートライン反転駆動モードでは、行ごとに印加する電圧の極性を変更するの
で、画素ごとに極性を反転させることと比較して液晶装置への負荷を小さくすることがで
きる。
【００２２】
また、本発明の電子機器は、上記記載の液晶装置を備えることを特徴とする。
【００２３】
この発明では、上述したように、１つの反転駆動モードに基づいて複数の画素に電圧を
印加しているときに他の反転駆動モードに切り替えることで、１つの反転駆動モードに基
づいて画素に電圧を印加して液晶の配向状態を転移させることと比較して、別途他の部材
を設けることなく、初期転移に要する時間を短縮化できる。
【発明を実施するための最良の形態】
【００２４】
［第１の実施形態］
以下、本発明による液晶装置の駆動方法及び液晶装置並びに電子機器の第１の実施形態
を、図面に基づいて説明する。ここで、図１は本実施形態における液晶装置を示す平面図
、図２は図１におけるＡ−Ａ矢視断面図、図３は図１の液晶パネルを示す等価回路図、図
４は液晶装置のブロック図である。なお、以下の説明に用いる各図では、各層や各部材を
図面上で認識可能な程度の大きさとするため、各層や各部材ごとに縮尺を適宜変更してい
る。
【００２５】
本実施形態における液晶装置１は、ＴＦＴ（Thin Film Transistor：薄膜トランジスタ
）を画素スイッチング素子として用いたＴＦＴ方式アクティブマトリックス型、ＯＣＢモ
ードの液晶表示装置である。そして、液晶装置１は、図１及び図２に示すように、液晶パ
ネル２と、液晶パネル２の外面にそれぞれ配置された偏光板（図示略）とを備えている。
【００２６】
液晶パネル２は、図１及び図２に示すように、ＴＦＴ基板３と、ＴＦＴ基板３と対向配
置された対向基板４と、ＴＦＴ基板３及び対向基板４を貼着するシール材５と、ＴＦＴ基
板３及び対向基板４によって形成されたセルギャップ内に封入された液晶層６とを備えて
いる。すなわち、液晶層６は、ＴＦＴ基板３及び対向基板４によって挟持されている。そ
して、図１に示すように、液晶装置１のうちＴＦＴ基板３と対向基板４とが重なると共に
シール材５の内側に形成された周辺遮光膜７によってシール領域の内側が画像表示領域８
となっている。なお、図１では、対向基板４の図示を省略している。
【００２７】
ＴＦＴ基板３は、図１に示すように、平面視矩形状を有しており、例えばガラスや石英
、プラスチックなどの透光性材料によって構成されている。そして、ＴＦＴ基板３のうち
画像表示領域８と重なる領域には、図２及び図３に示すように、画素電極１１やＴＦＴ素
子１２、複数のデータ線１３及び走査線１４が形成されている。また、ＴＦＴ基板３の表
面には、配向膜１５が形成されている。
【００２８】
画素電極１１は、例えばＩＴＯ（Indium Tin Oxide：酸化インジウムスズ）などの透光
性導電材料によって形成されており、対向基板４に設けられた後述する対向電極３１と液
晶層６を介して対向配置されている。そして、画素電極１１と上記対向電極３１との間で
液晶層６を挟持する。
【００２９】
ＴＦＴ素子１２は、例えばｎ型トランジスタによって構成されており、走査線１４とデ
ータ線１３との交点にそれぞれ設けられている。そして、ＴＦＴ素子１２は、ソース電極
がデータ線１３に接続され、ゲート電極が走査線１４に接続され、ドレイン電極が画素電
極１１に接続されている。また、画素電極１１に書き込まれた画像信号のリークを防止す
るため、画素電極１１と容量線１６との間に保持容量１７が接続されている。
【００３０】
データ線１３は、図３に示すように、例えばアルミニウムなどの金属によって構成され
た配線であって、図３に示すＹ方向に延在するように形成されている。また、走査線１４
は、データ線１３と同様に、図３に示すＸ方向に延在するように形成されている。そして
、これらデータ線１３及び走査線１４によって、画素が区画される。
【００３１】
なお、以下の説明において、複数の画素のうち、走査線１４に沿って配列されている画
素の並びの１連を「行」と称し、データ線１３に沿って配列されている画素の並びの１連
を「列」と称する。すなわち、複数の画素は図３においてＹ方向には１行、２行、…、ｎ
行を形成し、Ｘ方向には１列、２列、…、ｍ列を形成している。また、複数の画素のうち
、走査線１４に沿って配列されている方向を「行方向」、データ線１３に沿って配列され
ている方向を「列方向」と称する。
【００３２】
また、ＴＦＴ基板３上のうちシール材５の周辺領域には、図１に示すように、データ線
駆動回路２１及び外部実装端子２２がＴＦＴ基板３の一辺に沿って形成されている。また
、ＴＦＴ基板３の周辺領域には、走査線駆動回路２３、２４が上記一辺隣接する二辺に沿
って形成されている。なお、データ線駆動回路２１、外部実装端子２２及び走査線駆動回
路２３、２４は、配線２５によって適宜接続されている。
【００３３】
データ線駆動回路２１は、後述する反転駆動制御部４１及びＤＡ変換部４２から供給さ
れた信号に基づき、複数のデータ線１３に、図３及び図４に示すような画像信号Ｓ１、Ｓ
２、…、Ｓｍを供給する構成となっている。ここで、データ線駆動回路２１によりデータ
線１３に書き込まれる画像信号は、線順次に供給しても、互いに隣接する複数のデータ線
１３同士に対してグループごとに供給してもよい。
【００３４】
走査線駆動回路２３、２４は、上記反転駆動部４３から供給された信号に基づき、複数
の走査線１４に、走査信号Ｇ１、Ｇ２、…、Ｇｎを所定のタイミングでパルス的に供給す
る構成となっている。ここで、走査線駆動回路２３、２４により走査線１４に送られる走
査信号は、線順次に供給される。
【００３５】
対向基板４は、図１及び図２に示すように、ＴＦＴ基板３と同様に平面視矩形状を有し
ており、例えばガラスや石英、プラスチックなどの透光性材料によって構成されている。
そして、対向基板４のうち液晶層６側の表面には、対向電極３１が形成されている。
【００３６】
対向電極３１は、画素電極１１と同様にＩＴＯなどの透光性導電材料によって形成され
た平面膜である。
【００３７】
また、対向基板４の表面には、配向膜３２が形成されている。この配向膜３２のラビン
グ方向は、配向膜１５のラビング方向とほぼ同方向となっている。そして、対向基板４の
角部には、ＴＦＴ基板３と対向基板４との間の電気的な導通を確保するための基板間導通
材３３が設けられている。
【００３８】
また、液晶装置１は、図４に示すように、反転駆動制御部４１及びＤＡ変換部４２を備
えている。
【００３９】
反転駆動制御部４１は、複数の画素に印加する電圧の相対的な極性を周期的に反転させ
た反転駆動モードを複数の有する反転駆動部４３と、複数の反転駆動モードを切り替える
切替部４４とを有している。
【００４０】
反転駆動部４３は、２種の反転駆動モードとして、ゲートライン反転駆動モード及びフ
レーム反転駆動モードを有している。これら各反転駆動モードについては後述する。ここ
で、本実施形態では、液晶装置１の電源投入時には一の反転駆動モードとしてゲートライ
ン反転駆動モードが選択されている。そして、反転駆動部４３は、２種の反転駆動モード
のうち切替部４４によって選択された反転駆動モードに基づいて、データ線駆動回路２１
及び走査線駆動回路２３、２４を駆動し、データ線１３及び走査線１４を介して複数の画
素を構成するＴＦＴ素子１２のソース電極及びゲート電極に電圧を印加する構成となって
いる。
【００４１】
また、反転駆動部４３は、外部実装端子２２を介して接続された外部回路（図示略）か
ら供給されたクロック信号ＣＬＫ、水平同期信号ＨＳＹＮＣ及び垂直同期信号ＶＳＹＮＣ
に基づいて、極性信号ＦＲＰ、データ線駆動回路用スタート信号ＤＸ、データ線駆動回路
用クロックＣＬＸ、走査線駆動回路用スタート信号ＤＹ及び走査線駆動回路用クロックＣ
ＬＹを生成する構成となっている。また、反転駆動部４３は、上記外部回路からデジタル
画像信号Ｄｄａｔａをそのまま供給する構成となっている。
【００４２】
ここで、反転駆動部４３は、生成した各信号のうち、極性信号ＦＲＰ及びデジタル画像
信号ＤｄａｔａをＤＡ変換部４２に、データ線駆動回路用スタート信号ＤＸ及びデータ線
駆動回路用クロックＣＬＸをデータ線駆動回路２１に、走査線駆動回路用スタート信号Ｄ
Ｙ及び走査線駆動回路用クロックＣＬＹを走査線駆動回路２３、２４にそれぞれ供給する
ように構成されている。
【００４３】
切替部４４は、液晶層６における液晶のスプレイ配向からベンド配向への転移時に、初
期駆動時に選択されているゲートライン反転駆動モードから他の反転駆動モードであるフ
レーム反転駆動モードに、反転駆動モードを切り替える構成となっている。
【００４４】
ＤＡ変換部４２は、反転駆動制御部４１から入力されたデジタル画像信号Ｄｄａｔａを
デジタル−アナログ変換すると共に反転駆動制御部４１で生成された極性信号ＦＲＰに基
づいてアナログ画像信号Ａｄａｔａを生成し、データ線駆動回路２１に供給するように構
成されている。
（液晶装置の駆動方法）
次に、以上のような構成の液晶装置１の駆動方法について説明する。ここで、図５は本
実施形態における液晶装置の駆動方法を示すタイミングチャート、図６はゲートライン反
転駆動工程における極性信号のタイミングチャート、図７は走査信号のタイミングチャー
ト、図８はゲートライン反転駆動工程における画像信号のタイミングチャート、図９はゲ
ートライン反転駆動工程における各画素に印加される電圧の相対的な極性を示す図、図１
０はフレーム反転駆動工程における画像信号のタイミングチャート、図１１はフレーム反
転駆動工程における各画素に印加される電圧の相対的な極性を示す図である。
【００４５】
本実施形態における液晶装置１の駆動方法は、図５に示すように、初期転移工程と映像
表示工程とを備えている。なお、以下の説明では、本発明が初期転移工程に特徴を有して
いるため、他の工程についての説明を省略し、初期転移工程について主に説明する。ここ
で、本発明における液晶装置１は、その駆動周波数が６０Ｈｚであり、１フレーム期間が
１／６０秒（約１６．６ｍｓ）となっている。また、液晶装置１は、対向電極３１の共通
電位が５Ｖに設定されている。このため、ＴＦＴ基板３上の画素電極１１に０Ｖ、５Ｖ、
１０Ｖの電圧をそれぞれ印加したとすると、実効的には−５Ｖ、０Ｖ、＋５Ｖの電圧を対
向電極３１と画素電極１１との間に印加したことと等価になる。なお、初期転移工程にお
いて対向電極３１と画素電極１１の間に印加する電圧は、映像表示工程において印加され
る最大電圧程度であることが望ましい。なぜなら、スプレイ配向からベンド配向に高速に
転移させるには高電圧の方が有利であるが、その一方で電圧が高すぎるとＴＦＴ素子への
負荷が大きくなってしまうからである。すなわち、本実施形態においては、通常の映像表
示に用いられる最大電圧程度で初期転移の高速化に十分な効果がある。そこで、本実施形
態では、初期転移工程における対向電極３１と画素電極１１の間に印加する電圧の絶対値
を５Ｖとしている。
【００４６】
初期移転工程は、ゲートライン反転駆動工程とフレーム反転駆動工程とを備えている。
【００４７】
まず、液晶装置１に電源を投入してこれを駆動させると、外部実装端子２２を介して上
記外部回路からクロック信号ＣＬＫ、水平同期信号ＨＳＹＮＣ、垂直同期信号ＶＳＹＮＣ
及びデジタル画像信号Ｄｄａｔａが液晶装置１に入力される。このとき、液晶層６の液晶
の配向状態は、スプレイ配向となっている。
【００４８】
そして、ゲートライン反転駆動工程を行う。このゲートライン反転駆動工程では、以下
のようにしてゲートライン反転駆動モードに基づいて複数の画素に電圧を印加する。
【００４９】
反転駆動部４３は、上記外部回路から入力されたクロック信号ＣＬＫ、水平同期信号Ｈ
ＳＹＮＣ、垂直同期信号ＶＳＹＮＣ及びデジタル画像信号Ｄｄａｔａが入力されると、極
性信号ＦＲＰ、データ線駆動回路用スタート信号ＤＸ、データ線駆動回路用クロックＣＬ
Ｘ、走査線駆動回路用スタート信号ＤＹ及び走査線駆動回路用クロックＣＬＹを生成する
。
【００５０】
ここで、生成される極性信号ＦＲＰは、反転駆動部４３において反転駆動モードとして
ゲートライン反転駆動モードが選択されていることから、図６に示すように、水平同期信
号ＨＳＹＮＣが入力されるごとにその極性が反転するトグル動作を行う信号となっている
。したがって、ゲートライン反転駆動工程で生成される極性信号ＦＲＰは、複数の画素の
うち任意の一行を構成するすべての画素の間で同極性であると共に、この一行と隣接する
他の行を構成するすべての画素との間で逆極性となるような信号となっている。
【００５１】
そして、反転駆動部４３は、デジタル画像信号Ｄｄａｔａ及び生成した極性信号ＦＲＰ
をＤＡ変換部４２に、データ線駆動回路用スタート信号ＤＸ及びデータ線駆動回路用クロ
ックＣＬＸをデータ線駆動回路２１に、走査線駆動回路用スタート信号ＤＹ及び走査線駆
動回路用クロックＣＬＹを走査線駆動回路２３、２４にそれぞれ供給する。
【００５２】
また、ＤＡ変換部４２は、デジタル画像信号Ｄｄａｔａ及び極性信号ＦＲＰから、アナ
ログ画像信号Ａｄａｔａを生成し、データ線駆動回路２１に供給する。
【００５３】
その後、走査線駆動回路２３、２４は、供給された走査線駆動回路用スタート信号ＤＹ
及び走査線駆動回路用クロックＣＬＹに基づいて、図７に示すような、走査信号Ｇ１、Ｇ
２、…、Ｇｎを走査線１４に供給する。
【００５４】
また、データ線駆動回路２１は、供給されたアナログ画像信号Ａｄａｔａ、データ線駆
動回路用スタート信号ＤＸ及びデータ線駆動回路用クロックＣＬＸに基づいて、画像信号
Ｓ１、Ｓ２、…、Ｓｍを複数のデータ線１３に供給する。
【００５５】
ここで、ＤＡ変換部４２に供給される極性信号ＦＲＰが水平同期信号ＨＳＹＮＣに同期
してその極性が反転しているので、画像信号Ｓ１、Ｓ２、…、Ｓｍの電圧の相対的な極性
は、複数の画素のうち任意の一行を構成するすべての画素の間で同極性であると共に、列
方向で隣り合う行を構成する画素との間で逆極性となっている。すなわち、複数の画素の
うちの一つである画素Ｄｕｖに供給される画像信号の電圧の極性が図８（ａ）に示すよう
に１フレーム期間ごとに反転するとき、この画素Ｄｕｖと列方向で隣接する画素Ｄ（ｕ＋
１）ｖに供給される画像信号の電圧の極性は、図８（ｂ）に示すように１フレーム期間ご
とに反転する。また、画素Ｄｕｖと行方向で隣接する画素Ｄｕ（ｖ＋１）に供給される画
像信号の電圧の極性は、図８（ｃ）に示すように１フレーム期間ごとに反転する。なお、
図８（ａ）〜（ｃ）において、画素に供給される画像信号の電圧が等価的に＋５Ｖである
ときを正極性、−５Ｖであるときを負極性とする。また、図８（ａ）〜（ｃ）において、
実際には各画素に電圧が供給されるタイミングにはわずかに時間の遅延があるが、１フレ
ーム期間に対して十分に短い時間のため、明記はしていない。
【００５６】
したがって、図９に示すように、複数の画素のすべてにおいて、一行ごとに行を構成す
る画素に印加される電圧の極性が逆極性となっている。そして、１フレーム期間が経過す
ると、画素に印加される電圧の極性が反転する。
【００５７】
以上のようにして、複数の画素のうち任意の一行を構成する画素のすべてに相対的に同
極性の電圧を印加すると共に隣接する２つの行を構成する画素に相対的に逆極性の電圧を
印加する、ゲートライン反転駆動モードを行う。
【００５８】
このようにゲートライン反転駆動モードに基づいて複数の画素に電圧を印加すると、隣
接する２つの行の間で逆極性の電圧が印加されているので、列方向で隣接する２つの画素
の間における電位差が大きくなる。このため、列方向で隣接する画素の間で強い横電界が
発生し、液晶にディスクリネーションが発生しやすくなっている。これにより、配向状態
がスプレイ配向からベンド配向に転移した転移核が容易に発生する。
【００５９】
また、ゲートライン反転駆動モードでは、同じ行を構成する複数の画素の間で同極性の
電圧が印加されているので、行方向で隣接する２つの画素の間における電位差が小さい。
このため、発生した転移核を起点として転移核の配向状態が行方向に沿って伝播されやす
くなっている。すなわち、発生した転移核は、行方向に沿って成長しやすい。なお、ゲー
トライン反転駆動モードでは、上述したように、列方向で隣接する２つの画素の間におけ
る電位差が大きいため、発生した転移核を起点とした配向状態の伝播は、列方向では発生
しにくくなっている。
【００６０】
一方、切替部４４は、垂直同期信号ＶＳＹＮＣが発信されるごとにカウントアップする
カウント信号ＣＯＵＮＴを発信する。そして、切替部４４は、垂直同期信号ＶＳＹＮＣを
３０だけカウントするとき、すなわち３０フレーム期間（０．５秒）の経過時に、反転駆
動部４３で選択される反転駆動モードをゲートライン反転駆動モードからフレーム反転駆
動モードに切り替える。このようにして反転駆動モードの切り替えを行う。この切替部４
４によって反転駆動モードが切り替えられるまでの３０フレーム期間（０．５秒）の間に
、複数の画素において転移核が十分に発生する。
【００６１】
次に、フレーム反転駆動工程を行う。このフレーム反転駆動工程では、以下のようにし
てフレーム反転駆動モードに基づいて複数の画素に電圧を印加する。
【００６２】
ここで、極性信号ＦＲＰは、反転駆動部４３において反転駆動モードとしてフレーム反
転駆動モードが選択されていることから、図５に示すように、垂直同期信号ＶＳＹＮＣが
入力されるごとにその極性が反転するトグル動作を行う信号となっている。
【００６３】
そして、走査線駆動回路２３、２４は、供給された走査線駆動回路用スタート信号ＤＹ
及び走査線駆動回路用クロックＣＬＹに基づいて、上述したゲートライン反転駆動工程と
同様に、図７に示すような、走査信号Ｇ１、Ｇ２、…、Ｇｎを走査線１４に供給する。
【００６４】
また、データ線駆動回路２１は、供給されたアナログ画像信号Ａｄａｔａ、データ線駆
動回路用スタート信号ＤＸ及びデータ線駆動回路用クロックＣＬＸに基づいて、画像信号
Ｓ１、Ｓ２、…、Ｓｍを複数のデータ線１３に供給する。
【００６５】
ここで、ＤＡ変換部４２に供給される極性信号ＦＲＰが垂直同期信号ＶＳＹＮＣに同期
してその極性が反転しているので、画像信号Ｓ１、Ｓ２、…、Ｓｍの電圧の相対的な極性
は、複数の画素のすべてで同極性となっている。すなわち、複数の画素のうちの一つであ
る画素Ｄｕｖに供給される画像信号の電圧の極性が図１０（ａ）に示すように１フレーム
期間ごとに反転するとき、この画素Ｄｕｖと列方向で隣接する画素Ｄ（ｕ＋１）ｖに供給
される画像信号の電圧の極性は、図１０（ｂ）に示すように１フレーム期間ごとに反転す
る。また、画素Ｄｕｖと行方向で隣接する画素Ｄｕ（ｖ＋１）に供給される画像信号の電
圧の極性も、図１０（ｃ）に示すように１フレーム期間ごとに反転する。なお、図１０（
ａ）〜（ｃ）において、実際には各画素に電圧が供給されるタイミングにはわずかに時間
の遅延があるが、１フレーム期間に対して十分に短い時間のため、明記はしていない。
【００６６】
したがって、図１１に示すように、複数の画素のすべてに印加される電圧の極性が同極
性となっている。そして、１フレーム期間が経過すると、画素に印加される電圧の極性が
反転する。
【００６７】
以上のようにして、複数の画素のすべてに相対的に同極性の電圧を印加する、フレーム
反転駆動モードを行う。
【００６８】
このようにフレーム反転駆動モードに基づいて複数の画素に電圧を印加すると、すべて
の画素に同極性の電圧を印加しているので、各画素間における電位差が小さくなる。これ
により、ゲートライン反転駆動工程において発生した転移核の配向状態が、行方向及び列
方向に沿って急速に伝播される。また、ゲートライン反転駆動モードと比較して発生する
横電界の強度は弱いが、転移核の配向状態の伝播と合わせて転移核の発生が行われる。
【００６９】
一方、切替部４４は、垂直同期信号ＶＳＹＮＣを６０カウントするとき、すなわち初期
転移工程の開始から６０フレーム期間（１秒）の経過時に、初期転移工程を終了する。こ
の切替部４４によって反転駆動モードがフレーム反転駆動モードに切り替えられてからの
３０フレーム期間（０．５秒）の間に、ゲートライン反転駆動工程において発生した転移
核の配向状態は、すべての画素にわたって伝播される。以上のようにして、すべての液晶
の配向状態をスプレイ配向からベンド配向に転移させる。
【００７０】
その後、画像表示工程では、フレーム反転駆動モードを選択した状態で、画像表示領域
８に画像を表示する。ここで、６０フレーム期間（１秒）ですべての画素における液晶の
配向状態を転移させることができるので、電源投入から画像表示工程の開始までの時間が
短縮される。
【００７１】
なお、フレーム反転駆動工程に切り替えることなくゲートライン反転駆動工程を継続し
て行うことで液晶の初期転移を行う場合には、列方向における転移核の配向状態の伝播速
度が遅いため、発生する転移核が増大しても、画素全体の液晶の配向状態を転移させるた
めには十数秒程度の時間が必要となる。すなわち、上述したように、ゲートライン反転駆
動モードでは、横電界が大きいことに起因して転移核が発生しやすくなっている。このた
め、フレーム反転駆動工程に切り替えなくても、発生する転移核が増大すると共に、転移
核の配向状態が行方向において伝播されやすくなっている。しかし、列方向における転移
核の配向状態が伝播されにくくなっているため、画素全体の液晶の配向状態を転移させる
ために、時間がかかってしまう。
（電子機器）
このような構成の液晶装置１は、例えば、図１２に示すような携帯電話機（電子機器）
１００に設けられる。ここで、図１２は、携帯電話機１００の斜視図である。この携帯電
話機１００は、複数の操作ボタン１０１、受話口１０２、送話口１０３及び本実施形態の
液晶装置１からなる表示部１０４を備えている。
【００７２】
以上のように、本実施形態における液晶装置１の駆動方法及び液晶装置１並びに携帯電
話機１００によれば、ゲートライン反転駆動モードに基づいて電圧を印加しているときに
フレーム反転駆動モードに切り替えて電圧を印加することで、液晶の配向が揺さぶられ、
初期転移を高速に行われる。また、１つの反転駆動モードに基づいて画素に電圧を印加す
ることと比較して、別途他の部材を設けることなく初期転移時間を短縮できる。そして、
印加する電圧を大きくすることがないので、液晶装置１への負荷が小さく、液晶装置１の
信頼性を維持できる。
【００７３】
ここで、ゲートライン反転駆動モードとフレーム反転駆動モードとを組み合わせており
、ゲートライン反転駆動モードでは列ごとに供給する画像信号の電圧の極性を変更してい
ると共に、フレーム反転駆動モードではすべての画素に供給する画像信号の電圧の極性を
変更しているので、画素ごとに極性を反転させることと比較して液晶装置１への負荷を小
さくできる。
［第２の実施形態］
次に、本発明による液晶装置の駆動方法及び液晶装置並びに電子機器の第２の実施形態
について説明する。なお、本実施形態では、第１の実施形態と液晶装置の駆動方法が異な
るため、この点を中心に説明すると共に、上記実施形態で説明した構成要素には同一符号
を付し、その説明を省略する。
【００７４】
本実施形態における液晶装置の駆動方法は、図１３に示すように、初期転移工程がフレ
ーム反転駆動工程とゲートライン反転駆動工程とを備えている。
【００７５】
フレーム反転駆動工程では、各画素に対してフレーム反転駆動モードに基づいて電圧を
印加する。ここで、切替部４４は、垂直同期信号ＶＳＹＮＣを３０カウントするとき、す
なわち３０フレーム期間（０．５秒）の経過時に、反転駆動部４３で選択される反転駆動
モードをフレーム反転駆動モードからゲートライン反転駆動モードに切り替える。この切
替部４４によって反転駆動モードが切り替えられるまでの３０フレーム期間（０．５秒）
の間に、複数の画素において転移核が発生する。このとき、ライン反転駆動のように隣接
する２つの画素の間の強い横電界を利用する場合と比べると、フレーム反転駆動では転移
核は発生しにくいが、複数の画素においてそれに準じた状態になっている。
【００７６】
そして、続いて行われるゲートライン反転駆動工程では、各画素に対してゲートライン
反転駆動モードに基づいて電圧を印加する。ここで、切替部４４は、垂直同期信号ＶＳＹ
ＮＣを６０カウントするとき、すなわち初期転移工程の開始から６０フレーム期間（１秒
）の経過時に、初期転移工程を終了する。この切替部４４によって反転駆動モードがゲー
トライン反転駆動モードに切り替えられてからの３０フレーム期間（０．５秒）の間に、
フレーム反転駆動工程において発生した転移核の配向状態は、すべての画素にわたって伝
播される。
【００７７】
その後、ゲートライン反転駆動モードを選択した状態で、画像表示工程を行う。
【００７８】
以上のように、本実施形態における液晶装置の駆動方法及び液晶装置並びに電子機器に
おいても、上述した第１の実施形態と同様の作用、効果を奏する。
［第３の実施形態］
次に、本発明による液晶装置の駆動方法及び液晶装置並びに電子機器の第３の実施形態
について説明する。なお、本実施形態では、第１の実施形態と液晶装置の駆動方法が異な
るため、この点を中心に説明すると共に、上記実施形態で説明した構成要素には同一符号
を付し、その説明を省略する。
【００７９】
本実施形態における液晶装置は、反転駆動部４３が２種の反転駆動モードとしてソース
ライン反転駆動モード及びゲートライン反転駆動モードを有している。
【００８０】
そして、反転駆動部４３は、外部実装端子２２を介して接続された外部回路（図示略）
から入力されたクロック信号ＣＬＫ、水平同期信号ＨＳＹＮＣ及び垂直同期信号ＶＳＹＮ
Ｃに基づいて、第１及び第２極性信号ＦＲＰ１、ＦＲＰ２、データ線駆動回路用スタート
信号ＤＸ、データ線駆動回路用クロックＣＬＸ、走査線駆動回路用スタート信号ＤＹ及び
走査線駆動回路用クロックＣＬＹを生成する構成となっている。
【００８１】
また、ＤＡ変換部４２は、反転駆動制御部４１から入力されたデジタル画像信号Ｄｄａ
ｔａをデジタル−アナログ変換すると共に反転駆動制御部４１で生成された第１及び第２
極性信号ＦＲＰ１、ＦＲＰ２に基づいてアナログ画像信号Ａｄａｔａを生成するように構
成されている。ここで、ＤＡ変換部４２は、第１極性信号ＦＲＰ１に基づいて生成された
アナログ画像信号Ａｄａｔａと第２極性信号ＦＲＰ２に基づいて生成されたアナログ画像
信号Ａｄａｔａとを複数のデータ線１３に交互に入力するように構成されている。すなわ
ち、互いに隣接する２つのデータ線１３の間では、一方に第１極性信号ＦＲＰ１に基づい
て生成されたアナログ画像信号Ａｄａｔａが入力され、他方に第２極性信号ＦＲＰ２に基
づいて生成されたアナログ画像信号Ａｄａｔａが入力されることになる。
【００８２】
次に、液晶装置の駆動方法について説明する。本実施形態における初期転移工程は、図
１４に示すように、ソースライン反転駆動工程とゲートライン反転駆動工程とを備えてい
る。
【００８３】
ソースライン反転駆動工程では、各画素に対してソースライン反転駆動モードに基づい
て電圧を印加する。
【００８４】
ソースライン反転駆動工程で生成される第１及び第２極性信号ＦＲＰ１、ＦＲＰ２は、
図１４に示すように、共に垂直同期信号ＶＳＹＮＣが入力されるごとにその極性が反転す
るトグル動作を行う信号となっている。また、第１及び第２極性信号ＦＲＰ１、ＦＲＰ２
は、互いに逆極性となっている。ここで、第１及び第２極性信号ＦＲＰ１、ＦＲＰ２は、
複数のデータ線１３に交互に対応している。すなわち、互いに隣接する２つのデータ線１
３の間では、一方に第１極性信号ＦＲＰ１が対応し、他方に第２極性信号ＦＲＰ２が対応
している。したがって、ソースライン反転駆動工程で生成される第１及び第２極性信号Ｆ
ＲＰ１、ＦＲＰ２は、複数の画素のうち任意の一列を構成するすべての画素の間で同極性
であると共に、この一列と隣接する他の列を構成するすべての画素との間で逆極性となる
ような信号となっている。
【００８５】
そして、走査線駆動回路２３、２４は、供給された走査線駆動回路用スタート信号ＤＹ
及び走査線駆動回路用クロックＣＬＹに基づいて、走査信号Ｇ１、Ｇ２、…、Ｇｎを走査
線１４に供給する。
【００８６】
また、データ線駆動回路２１は、供給されたアナログ画像信号Ａｄａｔａ、データ線駆
動回路用スタート信号ＤＸ及びデータ線駆動回路用クロックＣＬＸに基づいて、画像信号
Ｓ１、Ｓ２、…、Ｓｍを複数のデータ線１３に供給する。
【００８７】
ここで、ＤＡ変換部４２に供給される第１及び第２極性信号ＦＲＰ１、ＦＲＰ２により
、画像信号Ｓ１、Ｓ２、…、Ｓｍの電圧の相対的な極性は、複数の画素のうち任意の一列
を構成するすべての画素の間で同極性であると共に、行方向で隣り合う列を構成する画素
との間で逆極性となっている。すなわち、複数の画素のうちの一つである画素Ｄｕｖに供
給される画像信号の電圧の極性が図１６（ａ）に示すように１水平期間ごとに反転すると
き、この画素Ｄｕｖと列方向で隣接する画素Ｄ（ｕ＋１）ｖに供給される画像信号の電圧
の極性は、図１６（ｂ）に示すように１フレーム期間ごとに反転する。また、画素Ｄｕｖ
と行方向で隣接する画素Ｄｕ（ｖ＋１）に供給される画像信号の電圧の極性は、図１６（
ｃ）に示すように１フレーム期間ごとに反転する。なお、図１６（ａ）〜（ｃ）において
、実際には各画素に電圧が供給されるタイミングにはわずかに時間の遅延があるが、１フ
レーム期間に対して十分に短い時間のため、明記はしていない。
【００８８】
したがって、図１７に示すように、複数の画素のすべてにおいて、一列ごとに列を構成
する画素に印加される電圧の極性が逆極性となっている。そして、１フレーム期間が経過
すると、画素に印加される電圧の極性が反転する。
【００８９】
以上のようにして、複数の画素のうち任意の一列を構成する画素のすべてに相対的に同
極性の電圧を印加すると共に隣接する２つの列を構成する画素に相対的に逆極性の電圧を
印加する、ソースライン反転駆動モードを行う。
【００９０】
このようにソースライン反転駆動モードに基づいて複数の画素に電圧を印加すると、隣
接する２つの列の間で逆極性の電圧を印加しているので、行方向で隣接する２つの画素の
間における電位差が大きくなる。このため、上述したゲートライン反転駆動モードと同様
に、行方向で隣接する画素の間で強い横電界が発生し、液晶にディスクリネーションが発
生しやすくなっている。これにより、配向状態がスプレイ配向からベンド配向に転移した
転移核が容易に発生する。
【００９１】
そして、ソースライン反転駆動モードでは、同じ列を構成する複数の画素の間で同極性
の電圧が印加されているので、列方向で隣接する２つの画素の間における電位差が小さい
。このため、発生した転移核を起点として転移核の配向状態が列方向に沿って伝播される
。すなわち、発生した転移核が列方向に沿って成長する。なお、ソースライン反転駆動モ
ードでは、上述したように、行方向で隣接する２つの画素の間における電位差が大きいた
め、発生した転移核を起点とした配向状態の伝播は、行方向では発生しにくくなっている
。
【００９２】
一方、切替部４４は、垂直同期信号ＶＳＹＮＣが発信されるごとにカウントアップする
カウント信号ＣＯＵＮＴを発信する。そして、切替部４４は、垂直同期信号ＶＳＹＮＣを
３０だけカウントするとき、すなわち３０フレーム期間（０．５秒）の経過時に、反転駆
動部４３で選択される反転駆動モードをソースライン反転駆動モードからゲートライン反
転駆動モードに切り替える。このようにして反転駆動モードの切り替えを行う。この切替
部４４によって反転駆動モードが切り替えられるまでの３０フレーム期間（０．５秒）の
間に、複数の画素において転移核が十分に発生する。また、発生した転移核を起点として
転移核の配向状態が、列方向に沿って伝播される。
【００９３】
次に、ゲートライン反転駆動工程を行う。このゲートライン反転駆動工程では、各画素
に対してゲートライン反転駆動モードに基づいて電圧を印加する。このとき、第１及び第
２極性信号ＦＲＰ１、ＦＲＰ２は、図１５に示すように水平同期信号ＨＳＹＮＣが入力さ
れるごとにその極性が反転するトグル動作を行う信号となっている。また、第１及び第２
極性信号ＦＲＰ１、ＦＲＰ２は、同極性となっている。ここで、切替部４４は、垂直同期
信号ＶＳＹＮＣを６０カウントするとき、すなわち初期転移工程の開始から６０フレーム
期間（１秒）の経過時に、初期転移工程を終了する。この切替部４４によって反転駆動モ
ードがゲートライン反転駆動モードに切り替えられてからの３０フレーム期間（０．５秒
）の間に、ソースライン反転駆動工程において発生すると共に列方向に沿って伝播した転
移核の配向状態が、行方向に沿って伝播される。これにより、転移核の配向状態が、すべ
ての画素にわたって伝播される。以上のようにして、すべての液晶の配向状態をスプレイ
配向からベンド配向に転移させる。
【００９４】
その後、ゲートライン反転駆動モードを選択した状態で、画像表示工程を行う。
【００９５】
以上のように、本実施形態における液晶装置の駆動方法及び液晶装置並びに電子機器に
おいても、上述した実施形態と同様の作用、効果を奏する。
【００９６】
なお、本実施形態において、上述した第２の実施形態と同様に、初期転移工程をゲート
ライン反転駆動工程からソースライン反転駆動工程に切り替えるようにしてもよい。
［第４の実施形態］
次に、本発明による液晶装置の駆動方法及び液晶装置並びに電子機器の第４の実施形態
について説明する。なお、本実施形態では、第１の実施形態と液晶装置の駆動方法が異な
るため、この点を中心に説明すると共に、上記実施形態で説明した構成要素には同一符号
を付し、その説明を省略する。
【００９７】
本実施形態における液晶装置は、反転駆動部４３が２種の反転駆動モードとしてドット
反転駆動モード及びフレーム反転駆動モードを有している。
【００９８】
そして、反転駆動部４３は、外部実装端子２２を介して接続された外部回路（図示略）
から入力されたクロック信号ＣＬＫ、水平同期信号ＨＳＹＮＣ及び垂直同期信号ＶＳＹＮ
Ｃに基づいて、第１及び第２極性信号ＦＲＰ１、ＦＲＰ２、データ線駆動回路用スタート
信号ＤＸ、データ線駆動回路用クロックＣＬＸ、走査線駆動回路用スタート信号ＤＹ及び
走査線駆動回路用クロックＣＬＹを生成する構成となっている。
【００９９】
また、ＤＡ変換部４２は、反転駆動制御部４１から入力されたデジタル画像信号Ｄｄａ
ｔａをデジタル−アナログ変換すると共に反転駆動制御部４１で生成された第１及び第２
極性信号ＦＲＰ１、ＦＲＰ２に基づいてアナログ画像信号Ａｄａｔａを生成するように構
成されている。ここで、ＤＡ変換部４２は、第１極性信号ＦＲＰ１に基づいて生成された
アナログ画像信号Ａｄａｔａと第２極性信号ＦＲＰ２に基づいて生成されたアナログ画像
信号Ａｄａｔａとを複数のデータ線１３に交互に入力するように構成されている。すなわ
ち、互いに隣接する２つのデータ線１３の間では、一方に第１極性信号ＦＲＰ１に基づい
て生成されたアナログ画像信号Ａｄａｔａが入力され、他方に第２極性信号ＦＲＰ２に基
づいて生成されたアナログ画像信号Ａｄａｔａが入力されることになる。
【０１００】
次に、液晶装置の駆動方法について説明する。本実施形態における初期転移工程は、図
１８に示すように、ドット反転駆動工程とフレーム反転駆動工程とを備えている。
【０１０１】
ドット反転駆動工程では、各画素に対してドット反転駆動モードに基づいて電圧を印加
する。
【０１０２】
ドット反転駆動工程で生成される第１及び第２極性信号ＦＲＰ１、ＦＲＰ２は、図１９
に示すように、共に水平同期信号ＨＳＹＮＣが入力されるごとにその極性が反転するトグ
ル動作を行う信号となっている。また、第１及び第２極性信号ＦＲＰ１、ＦＲＰ２は、互
いに逆極性となっている。ここで、第１及び第２極性信号ＦＲＰ１、ＦＲＰ２は、複数の
データ線１３に交互に対応している。すなわち、互いに隣接する２つのデータ線１３の間
では、一方に第１極性信号ＦＲＰ１が対応し、他方に第２極性信号ＦＲＰ２が対応してい
る。したがって、ドット反転駆動工程で生成される第１及び第２極性信号ＦＲＰ１、ＦＲ
Ｐ２は、複数の画素のうち任意の一つと隣接する他の画素との間で逆極性となるような信
号となっている。
【０１０３】
そして、走査線駆動回路２３、２４は、供給された走査線駆動回路用スタート信号ＤＹ
及び走査線駆動回路用クロックＣＬＹに基づいて、走査信号Ｇ１、Ｇ２、…、Ｇｎを走査
線１４に供給する。
【０１０４】
また、データ線駆動回路２１は、供給されたアナログ画像信号Ａｄａｔａ、データ線駆
動回路用スタート信号ＤＸ及びデータ線駆動回路用クロックＣＬＸに基づいて、画像信号
Ｓ１、Ｓ２、…、Ｓｍを複数のデータ線１３に供給する。
【０１０５】
ここで、ＤＡ変換部４２に供給される第１及び第２極性信号ＦＲＰ１、ＦＲＰ２により
、画像信号Ｓ１、Ｓ２、…、Ｓｍの電圧の相対的な極性は、任意の一つの画素と隣接する
他の画素との間で逆極性となっている。すなわち、複数の画素のうちの一つである画素Ｄ
ｕｖに供給される画像信号の電圧の極性が図２０（ａ）に示すように１水平期間ごとに反
転するとき、この画素Ｄｕｖと列方向で隣接する画素Ｄ（ｕ＋１）ｖに供給される画像信
号の電圧の極性は、図２０（ｂ）に示すように１水平期間ごとに反転する。また、画素Ｄ
ｕｖと行方向で隣接する画素Ｄｕ（ｖ＋１）に供給される画像信号の電圧の極性は、図２
０（ｃ）に示すように１水平期間ごとに反転する。なお、図２０（ａ）〜（ｃ）において
、実際には各画素に電圧が供給されるタイミングにはわずかに時間の遅延があるが、１フ
レーム期間に対して十分に短い時間のため、明記はしていない。
【０１０６】
したがって、図２１に示すように、複数の画素のすべてにおいて、隣接する他の画素に
印加される電圧の極性が逆極性となっている。そして、１水平期間が経過すると、画素に
印加される電圧の極性が反転する。
【０１０７】
以上のようにして、複数の画素のうち任意の一つの画素に隣接する他の画素と相対的に
逆極性の電圧を印加する、ドット反転駆動モードを行う。
【０１０８】
このようにドット反転駆動モードに基づいて複数の画素に電圧を印加すると、隣接する
２つの画素の間で逆極性の電圧を印加しているので、行方向及び列方向において強い横電
界が発生し、液晶にディスクリネーションが発生しやすくなっている。これにより、配向
状態がスプレイ配向からベンド配向に転移した転移核が容易に発生する。
【０１０９】
なお、ドット反転駆動モードでは、上述したように、隣接する２つの画素の間における
電位差が大きいため、発生した転移核を起点とした配向状態が伝播しにくくなっている。
【０１１０】
一方、切替部４４は、垂直同期信号ＶＳＹＮＣが発信されるごとにカウントアップする
カウント信号ＣＯＵＮＴを発信する。そして、切替部４４は、垂直同期信号ＶＳＹＮＣを
３０だけカウントするとき、すなわち３０フレーム期間（０．５秒）の経過時に、反転駆
動部４３で選択される反転駆動モードをドット反転駆動モードからフレーム反転駆動モー
ドに切り替える。このようにして反転駆動モードの切り替えを行う。この切替部４４によ
って反転駆動モードが切り替えられるまでの３０フレーム期間（０．５秒）の間に、複数
の画素において転移核が十分に発生する。
【０１１１】
次に、フレーム反転駆動工程を行う。このフレーム反転駆動工程では、各画素に対して
フレーム反転駆動モードに基づいて電圧を印加する。ここで、切替部４４は、垂直同期信
号ＶＳＹＮＣを６０カウントするとき、すなわち初期転移工程の開始から６０フレーム期
間（１秒）の経過時に、初期転移工程を終了する。この切替部４４によって反転駆動モー
ドがフレーム反転駆動モードに切り替えられてからの３０フレーム期間（０．５秒）の間
に、ドット反転駆動工程において発生した転移核の配向状態が、複数の画素の全体に伝播
される。以上のようにして、すべての液晶の配向状態をスプレイ配向からベンド配向に転
移させる。
【０１１２】
その後、フレーム反転駆動モードを選択した状態で、画像表示工程を行う。
【０１１３】
以上のように、本実施形態における液晶装置の駆動方法及び液晶装置並びに電子機器に
おいても、上述した実施形態と同様の作用、効果を奏する。
［第５の実施形態］
次に、本発明による液晶装置の駆動方法及び液晶装置並びに電子機器の第５の実施形態
について説明する。なお、本実施形態では、第１の実施形態と液晶装置の駆動方法が異な
るため、この点を中心に説明すると共に、上記実施形態で説明した構成要素には同一符号
を付し、その説明を省略する。
【０１１４】
本実施形態における液晶装置の駆動方法は、図２２に示すように、初期転移工程がゲー
トライン反転駆動工程とフレーム反転駆動工程とを備えており、ゲートライン反転駆動工
程とフレーム反転駆動工程とを２回繰り返している。
【０１１５】
ゲートライン反転駆動工程では、各画素に対してフレーム反転駆動モードに基づいて電
圧を印加する。ここで、切替部４４は、垂直同期信号ＶＳＹＮＣを１２カウントするとき
、すなわち１２フレーム期間（０．２秒）の経過時に、反転駆動部４３で選択される反転
駆動モードをゲートライン反転駆動モードからフレーム反転駆動モードに切り替える。こ
の切替部４４によって反転駆動モードが切り替えられるまでの１２フレーム期間（０．２
秒）の間に、複数の画素において転移核が発生する。
【０１１６】
そして、続いて行われるフレーム反転駆動工程では、各画素に対してフレーム反転駆動
モードに基づいて電圧を印加する。このとき、第１及び第２極性信号ＦＲＰ１、ＦＲＰ２
は、垂直同期信号ＶＳＹＮＣが入力されるごとにその極性が反転するトグル動作を行う信
号となっている。また、第１及び第２極性信号ＦＲＰ１、ＦＲＰ２は、同極性となってい
る。ここで、切替部４４は、垂直同期信号ＶＳＹＮＣを２４カウントするとき、すなわち
初期転移工程の開始から２４フレーム期間（０．４秒）の経過時に、反転駆動部４３で選
択される反転駆動モードをフレーム反転駆動モードからゲートライン反転駆動モードに切
り替える。この切替部４４によって反転駆動モードがフレーム反転駆動モードに切り替え
られてからの１２フレーム期間（０．２秒）の間に、ゲートライン反転駆動工程において
発生した転移核の配向状態が伝播される。
【０１１７】
次に、再度行われるゲートライン反転駆動工程では、切替部４４が垂直同期信号ＶＳＹ
ＮＣを３６カウントするとき、すなわち初期転移工程の開始から３６フレーム期間（０．
６秒）の経過時に、反転駆動部４３で選択される反転駆動モードをゲートライン反転駆動
モードからフレーム反転駆動モードに切り替える。
【０１１８】
そして、再度行われるフレーム反転駆動工程では、切替部４４が垂直同期信号ＶＳＹＮ
Ｃを３６カウントするとき、すなわち初期転移工程の開始から３６フレーム期間（０．６
秒）の経過時に、初期転移工程を終了する。
【０１１９】
その後、フレーム反転駆動モードを選択した状態で、画像表示工程を行う。
【０１２０】
以上のように、本実施形態における液晶装置の駆動方法及び液晶装置並びに電子機器に
おいても、上述した第１の実施形態と同様の作用、効果を奏する。
［第６の実施形態］
次に、本発明による液晶装置の駆動方法及び液晶装置並びに電子機器の第６の実施形態
について説明する。なお、本実施形態では、第１の実施形態と液晶装置の駆動方法が異な
るため、この点を中心に説明すると共に、上記実施形態で説明した構成要素には同一符号
を付し、その説明を省略する。
【０１２１】
本実施形態における液晶装置は、反転駆動部４３が３種の反転駆動モードとしてゲート
ライン反転駆動モード、ソースライン反転駆動モード及びフレーム反転駆動モードを有し
ている。
【０１２２】
そして、本実施形態における初期転移工程は、図２３に示すように、ゲートライン反転
駆動工程とソースライン反転駆動工程とフレーム反転駆動工程とを備えている。
【０１２３】
ゲートライン反転駆動工程では、各画素に対してゲートライン反転駆動モードに基づい
て電圧を印加する。ここで、切替部４４は、垂直同期信号ＶＳＹＮＣを１２カウントする
とき、すなわち１２フレーム期間（０．２秒）の経過時に、反転駆動部４３で選択される
反転駆動モードをゲートライン反転駆動モードからソースライン反転駆動モードに切り替
える。この切替部４４によって反転駆動モードが切り替えられるまでの１２フレーム期間
（０．２秒）の間に、複数の画素において転移核が発生する。
【０１２４】
そして、続いて行われるソースライン反転駆動工程では、各画素に対してソースライン
反転駆動モードに基づいて電圧を印加する。ここで、切替部４４は、垂直同期信号ＶＳＹ
ＮＣを２４カウントするとき、すなわち初期転移工程の開始から２４フレーム期間（０．
４秒）の経過時に、反転駆動部４３で選択される反転駆動モードをソースライン反転駆動
モードからフレーム反転駆動モードに切り替える。この切替部４４によって反転駆動モー
ドがソースライン反転駆動モードに切り替えられてからの１２フレーム期間（０．２秒）
の間に、転移核が十分に発生する。
【０１２５】
さらに、続いて行われるフレーム反転駆動工程では、各画素に対してフレーム反転駆動
モードに基づいて電圧を印加する。ここで、切替部４４は、垂直同期信号ＶＳＹＮＣを３
６カウントするとき、すなわち初期転移工程の開始から３６フレーム期間（０．６秒）の
経過時に、初期転移工程を終了する。この切替部４４によって反転駆動モードがフレーム
反転駆動モードに切り替えられてからの１２フレーム期間（０．２秒）の間に、ゲートラ
イン反転駆動工程及びソースライン反転駆動工程で発生した転移核の配向状態は、すべて
の画素にわたって伝播される。
【０１２６】
その後、フレーム反転駆動モードを選択した状態で、画像表示工程を行う。
【０１２７】
以上のように、本実施形態における液晶装置の駆動方法及び液晶装置並びに電子機器に
おいても、上述した実施形態と同様の作用、効果を奏する。
【０１２８】
なお、本発明は上記実施形態に限定されるものではなく、本発明の趣旨を逸脱しない範
囲において種々の変更を加えることが可能である。
【０１２９】
例えば、液晶装置の駆動周波数を６０Ｈｚとして１フレーム期間を１／６０秒としてい
るが、これに限られず、適宜変更してもよい。
【０１３０】
また、画素電極及び対向電極に印加される電圧は、各反転駆動モードに基づいて相対的
に同極性または逆極性の電圧が印加されればよく、適宜変更してもよい。
【０１３１】
また、初期転移工程における反転駆動モードの組み合わせや繰り返し回数、カウント数
などは、適宜変更してもよい。
【０１３２】
また、画像表示工程において、初期転移工程の終了時の反転駆動モードに基づいて画像
信号をデータ線に供給しているが、他の反転駆動モードに基づいた画像信号の供給を行っ
てもよい。
【０１３３】
また、ゲートライン反転駆動モードは、それぞれ任意の一行を構成する複数の画素に同
極性の電圧を印加し、これに隣接する列を構成する複数の画素に逆極性の電圧を印加して
いるが、同極性の電圧を印加する行は一行に限らず、複数行としてもよい。すなわち、複
数行ごとに同極性の電圧を印加する構成としてもよい。同様に、ソースライン反転駆動工
程でも、同極性の電圧を印加する列を一列に限らず、複数列としてもよい。
【０１３４】
また、液晶装置は、スイッチング素子としてＴＦＴを備えているが、薄膜ダイオード（
Thin Film Diode）などの二端子型素子をスイッチング素子として備える構成としてもよ
い。
【０１３５】
また、電子機器として携帯電話機を用いているが、携帯電話機に限らず、本発明の液晶
装置または電気光学装置を用いた表示部が設けられていれば、電子ブックやプロジェクタ
、パーソナルコンピュータ、デジタルスチルカメラ、テレビジョン受像機、ビューファイ
ンダ型あるいはモニタ直視型のビデオテープレコーダ、カーナビゲーション装置、ページ
ャ、電子手帳、電卓、ワードプロセッサ、ワークステーション、テレビ電話機、ＰＯＳ端
末、ＰＤＡ（Personal Digital Assistant：携帯情報端末機）、タッチパネルを備える機
器などのような他の電子機器であってもよい。
【図面の簡単な説明】
【０１３６】
【図１】本発明の第１の実施形態における液晶装置を示す平面図である。
【図２】図１のＡ−Ａ矢視断面図である。
【図３】図１の等価回路図である。
【図４】図１のブロック図である。
【図５】第１の実施形態における駆動方法を示すタイミングチャートである。
【図６】ゲートライン反転駆動における極性信号のタイミングチャートである。
【図７】走査信号を示すタイミングチャートである。
【図８】ゲートライン反転駆動における画像信号のタイミングチャートである。
【図９】ゲートライン反転駆動における各画素の相対的な極性を示す図である。
【図１０】フレーム反転駆動における画像信号のタイミングチャートである。
【図１１】フレーム反転駆動における各画素の相対的な極性を示す図である。
【図１２】第１の実施形態における電子機器を示す斜視図である。
【図１３】第２の実施形態における駆動方法を示すタイミングチャートである。
【図１４】第３の実施形態における駆動方法を示すタイミングチャートである。
【図１５】ゲートライン反転駆動における極性信号のタイミングチャートである。
【図１６】ソースライン反転駆動における画像信号のタイミングチャートである。
【図１７】ソースライン反転駆動における各画素の相対的な極性を示す図である。
【図１８】第４の実施形態における駆動方法を示すタイミングチャートである。
【図１９】ドット反転駆動における極性信号のタイミングチャートである。
【図２０】ドット反転駆動における画像信号のタイミングチャートである。
【図２１】ドット反転駆動における各画素の相対的な極性を示す図である。
【図２２】第５の実施形態における駆動方法を示すタイミングチャートである。
【図２３】第６の実施形態における駆動方法を示すタイミングチャートである。
【符号の説明】
【０１３７】
１  液晶装置、８  画像表示領域、１３  データ線、１４  走査線、４３  反転駆動部、
４４  切替部、１００  携帯電話機（電子機器）
【図１】
2007298803.tif 000003
【図２】
2007298803.tif 000004
【図３】
2007298803.tif 000005
【図４】
2007298803.tif 000006
【図５】
2007298803.tif 000007
【図６】
2007298803.tif 000008
【図７】
2007298803.tif 000009
【図８】
2007298803.tif 000010
【図９】
2007298803.tif 000011
【図１０】
2007298803.tif 000012
【図１１】
2007298803.tif 000013
【図１２】
2007298803.tif 000014
【図１３】
2007298803.tif 000015
【図１４】
2007298803.tif 000016
【図１５】
2007298803.tif 000017
【図１６】
2007298803.tif 000018
【図１７】
2007298803.tif 000019
【図１８】
2007298803.tif 000020
【図１９】
2007298803.tif 000021
【図２０】
2007298803.tif 000022
【図２１】
2007298803.tif 000023
【図２２】
2007298803.tif 000024
【図２３】
2007298803.tif 000025